(57)【特許請求の範囲】
【請求項１】
先端側を開口させて先端側開口部５を有する筒状部材の本体ケース１内に、施工対象部材の面部３に向けて止着部材２を押出すための押出体７と、原動源としての人力による操作力を増加させて前記押出体７を押し出す押出ギヤ１２と、該押出ギヤ１２の回転を操作する操作体２０とを有する増力押出機構６を設け、前記本体ケース１の側部所定位置には本体ケース１の長手方向と交差するように持ち手４を設けた止着部材押込み具。
【請求項２】
請求項１において、前記増力押出機構６は、本体ケース１内の一方側面１０に設けた一方側ギヤ溝１１に噛み合う押出ギヤ１２と、該押出ギヤ１２を取付軸１３により回転自在に取付けた押出体７と、前記押出ギヤ１２が噛み合う他方側ギヤ溝２１および操作ハンドル２３を有する操作体２０とを備えて構成した止着部材押込み具。
【請求項３】
請求項２において、前記押出体７の先端に止着部材２に当接する頭部押出部１４を設け、該頭部押出部１４には、止着部材２を付着させる磁力を有する磁性体１５を設けた止着部材押込み具。
【請求項４】
請求項１または請求項２または請求項３において、本体ケース１の面部３側には、本体ケース１の先端側開口部５の両側に、先端側開口部５と面部３との間に止着部材２が位置させうるように所定長さを有して突出する一対の当接部２４を設け、一対の当接部２４の間には止着部材２を装着しうる装着用空間２５を設けた止着部材押込み具。
【発明の詳細な説明】
【技術分野】
【０００１】
本発明は、止着部材押込み具に係るものである。
【背景技術】
【０００２】
従来、釘を壁面等の対象資材部に打ち込む釘打ち器は、空気圧縮機の圧縮空気を利用する気動方式構成は、公知である（特許文献１参照）。
また、従来、モータの駆動力を、減速歯車とカムにより伝達して釘打ちする電動方式構成は、公知である（特許文献２参照）。
また、従来、持ち手の先端に金属製のヘッドを設けた金槌は、公知である（特許文献３参照）。
【先行技術文献】
【特許文献】
【０００３】
【特許文献１】特開２００５−５２９７６３号公報
【特許文献２】実公平６−１８７９０号公報
【特許文献３】実開平７−２７７７６号公報
【発明の概要】
【発明が解決しようとする課題】
【０００４】
前記公知例のうち、特開２００５−５２９７６３号公報記載のものは、駆動源として空気圧縮機を利用しているため、空気圧縮機およびこれに接続するエアホース等の周辺設備が多くなり、作業性が良くないという課題がある。
前記公知例のうち、実公平６−１８７９０号公報記載のものは、駆動源として電気を利用しているため、周辺設備として発電機および接続コードが必要となり、作業性が良くないという同様な課題がある。
仮に、電動方式釘打ち器の場合、駆動源としての電源が確保されている作業場であっても、作動音が大きく、作業時間の制約を受けるという別の課題もある。
前記公知例のうち、実開平７−２７７７６号公報記載のものは、釘を金属製ヘッドにより打ち込むので、打音が大きく、作業時間の制約を受けるという課題がある。
本願は、人力を原動源として使用する止着部材押込み具を提供し、釘打ち作業の作業性の向上および騒音発生の防止を図るものである。
【課題を解決するための手段】
【０００５】
請求項１の発明は、先端側を開口させて先端側開口部５を有する筒状部材の本体ケース１内に、施工対象部材の面部３に向けて止着部材２を押出すための押出体７と、原動源としての人力による操作力を増加させて前記押出体７を押し出す押出ギヤ１２と、該押出ギヤ１２の回転を操作する操作体２０とを有する増力押出機構６を設け、前記本体ケース１の側部所定位置には本体ケース１の長手方向と交差するように持ち手４を設けた止着部材押込み具としたものである。
請求項２の発明は、前記増力押出機構６は、本体ケース１内の一方側面１０に設けた一方側ギヤ溝１１に噛み合う押出ギヤ１２と、該押出ギヤ１２を取付軸１３により回転自在に取付けた押出体７と、前記押出ギヤ１２が噛み合う他方側ギヤ溝２１および操作ハンドル２３を有する操作体２０とを備えて構成した止着部材押込み具としたものである。
請求項３の発明は、前記押出体７の先端に止着部材２に当接する頭部押出部１４を設け、該頭部押出部１４には、止着部材２を付着させる磁力を有する磁性体１５を設けた止着部材押込み具としたものである。
請求項４の発明は、本体ケース１の面部３側には、本体ケース１の先端側開口部５の両側に、先端側開口部５と面部３との間に止着部材２が位置させうるように所定長さを有して突出する一対の当接部２４を設け、一対の当接部２４の間には止着部材２を装着しうる装着用空間２５を設けた止着部材押込み具としたものである。
【発明の効果】
【０００６】
請求項１の発明では、原動源を人力として、この人力を増力押出機構６により増加させて止着部材２を押出すので、打撃音の無い止着部材２の止着作業を行うことができる。また、本体ケース１には持ち手４を設けているので、持ち手４により本体ケース１を支えながら増力押出機構６の押込力を一層止着部材２に付与することができ、止着作業を容易にすることができる。
請求項２の発明では、持ち手４により本体ケース１を面部３に押し付けた状態で、操作ハンドル２３によって操作体２０を押込操作して止着部材２の止着作業を行うので、止着作業を容易にすることができる。
請求項３の発明では、押出体７の頭部押出部１４に、止着部材２を接近または当接させると、止着部材２が磁性体１５の磁力により付着するので、止着部材２の装着を容易にすることができる。
請求項４の発明では、一対の当接部２４の間に装着用空間２５を設けているので、止着部材２の装着を容易にすることができる。
【図面の簡単な説明】
【０００７】
【図１】止着部材押込み具の作業開始状態斜視図。
【図２】同斜視図。
【図３】止着部材押込み具内の作業開始状態側面図。
【図４】同作業状態側面図。
【図５】止着部材の押込作業開始状態斜視図。
【図６】同作業状態斜視図。
【発明を実施するための形態】
【０００８】
本発明の実施形態を図により説明すると、１は、釘や鋲等の止着部材２を、建造物等の対象部材の面部３に人力による操作力を原動源として押し込む止着部材押込み具の本体ケースであり、所定長さを有する筒状部材により構成する。
面部３は、建造物等の面を有するものであれば何れでもよく、例えば、内壁や外壁、床面、天井面、あるいは、看板等の表面等であってもよい。
本体ケース１の側部所定位置には長手方向と交差するように持ち手４を設け、本体ケース１の下部には先端側開口部５を形成する。
なお、理解を容易にするために、上下・左右・前後等の方向を用いて説明しているが、本例では、面部３が下方に位置させた作業状態を基準にして説明しており（図１）、これらの方向を示す記載により本発明の構成が限定されることはない。
本体ケース１内には、原動源としての人力による操作力を増加させるための増力押出機構６と増力押出機構６により止着部材２を面部３に向けて押出す押出体７とを設ける。
【０００９】
本体ケース１内の一方側面１０に増力押出機構６の一部を構成する一方側ギヤ溝（固定溝）１１を設ける。一方側ギヤ溝１１は本体ケース１の長さ方向に所定長さを有して設ける。一方側ギヤ溝１１には増力押出機構６の一部を構成する押出ギヤ１２を噛み合わせる。押出ギヤ１２は本体ケース１に対して本体ケース１の長さ方向に移動自在に設ける。
押出ギヤ１２には取付軸１３を回転自在に取付ける。取付軸１３には、前記押出体７の基部を回転のみ自在に軸装する。
即ち、押出体７の基部に押出ギヤ１２を取付軸１３により回転自在に取り付けている。
押出体７は、軸棒部材により押出体７の頭部押出部１４の先端が本体ケース１の先端側開口部５に臨むように本体ケース１の長さ方向に所定長さを有して形成する。頭部押出部１４は押出体７の先端に設け、頭部押出部１４は止着部材２の頭部に当接して押し出す。頭部押出部１４には、止着部材２を付着させる磁力を有する磁性体１５を設ける。
増力押出機構６は押出ギヤ１２の径により本体ケース１の押す操作力を増加させ、増加させた操作力によって押出体７を押出す。
【００１０】
押出ギヤ１２は、取付軸１３の中央に位置し、押出体７の基部で押出ギヤ１２を挟むように回転自在に取付けると、取付および移動を安定させられ、好適である。
本体ケース１内の一方側ギヤ溝１１に相対向する位置に、増力押出機構６の一部を構成する操作体２０を設ける。操作体２０は、押出体７を本体ケース１より面部３の方向に移動させるものであり、その構成は任意であるが、一例を示すと、軸棒部材により本体ケース１の所定長さを有して形成する。
操作体２０の一方側ギヤ溝１１に相対向する側面には他方側ギヤ溝（移動溝）２１を形成する。
したがって、押出ギヤ１２は、操作体２０の他方側ギヤ溝２１と本体ケース１の一方側ギヤ溝１１とに噛み合わせる。
即ち、押出ギヤ１２は、操作体２０の他方側ギヤ溝２１により回転し、本体ケース１の一方側ギヤ溝１１により回転しながら押出体７を押し出す。
【００１１】
操作体２０の一端は、本体ケース１の上部に設けた基部側開口部２２より上方に突出させ、操作体２０の一端部には、操作ハンドル２３を設ける。操作ハンドル２３は面部３に向けて押出すと、操作体２０の他方側ギヤ溝２１が押出ギヤ１２を回転させながら本体ケース１の先端側開口部５に向けて移動させ、その結果、押出体７は止着部材２を押出す。
本体ケース１の面部３側には、当接部２４を設ける。当接部２４は本体ケース１の先端側開口部５の両側に一対設ける。当接部２４は、面部３に当接させた状態で、先端側開口部５と面部３との間に止着部材２が位置させうるように、所定長さ突出させ、一対の当接部２４間に、止着部材２の装着用空間２５を形成する。、
本体ケース１には、操作体２０と押出体７とを作業開始前の初期状態にさせるセット機構２６を設ける。セット機構２６は、押出体７を上部に向けて引き戻すように付勢するバネ２７を有して構成する。バネ２７の一端は本体ケース１側に係止し、バネ２７の他端は押出体７側に係止し、押出体７が常時本体ケース１内に収容するように付勢する。
【００１２】
バネ２７が押出体７を本体ケース１内の収容方向に移動すると、押出ギヤ１２が回転して上動し、これにより、操作体２０の他方側ギヤ溝２１の作用により操作体２０を初期位置に復帰させる。
セット機構２６には、押出体７と操作体２０とを初期位置にて停止させるストッパ２８を設ける。
ストッパ２８は、操作体２０の上下中間所定位置に設け、本体ケース１の基部側開口部２２の周縁の本体ケース１の上部内面２９に当接して、押出体７と操作体２０とを初期位置にて停止させる。
また、操作体２０のストッパ２８が移動する軌跡の、本体ケース１の内面所定位置には、操作停止用の停止ストッパ３０を設ける。停止ストッパ３０は操作ハンドル２３にて操作体２０を、止着部材２が面部３に押し込んだ後の、過剰なる押込操作を防止するものである。
【００１３】
本体ケース１には、押出体７と操作体２０との移動を案内するガイド機構３１を設ける。押出体７と操作体２０の移動を案内できればよく、その構成は任意であるが、一例を示すと、押出体７の頭部押出部１４の断面形状に合わせて本体ケース１の先端側開口部５の形状および当接部２４の臆面形状を合わせて構成している。
また、操作体２０の下端側には案内部３２を設け、案内部３２は押出体７の側面に摺接して、互いの移動を互いに誘導案内させる。
本体ケース１の操作体２０を設けた側の内側面には、上下に所定間隔おいて、ガイド機構３１の案内ローラ３３を設ける。
【００１４】
なお、前記本体ケース１は、一方側ケースと他方側ケースにより構成し、一方側ケースと他方側ケースの何れか一方の内部に一方側ギヤ溝１１と増力押出機構６と操作体２０とを設け、この一方側ケースに他方側ケースを蓋するように固定する構成とすると、組立が容易になり、好適である。
なお、図３、図４は、一方側ケースと他方側ケースの何れかを取り外した状態の側面図である。
【００１５】
(実施形態の作用)
本願の止着部材押込み具は、上記構成であり、以下、組立の一例を示す。
先端（下）側に先端側開口部５を設けた本体ケース１の一方側ケースと他方側ケースの何れか一方となる、例えば、一方側ケースの一方側面１０に一方側ギヤ溝１１を設ける。
押出ギヤ１２を、取付軸１３により押出体７の基部に軸装する。
一方側ケースの一方側ギヤ溝１１に相対向する面に他方側ギヤ溝２１を形成した操作体２０を、一方側ケース内に嵌め込む。
押出体７と操作体２０とが、初期状態となるように、一方側ケースの一方側ギヤ溝１１と操作体２０の他方側ギヤ溝２１との夫々押出ギヤ１２を噛み合わせて、押出体７と押出ギヤ１２と操作体２０とを一方側ケース内に収容する。
【００１６】
なお、押出ギヤ１２および押出体７と操作体２０との一方側ケースへの装着順序は何れが先でもよい。
この状態で、一方側ケースを他方側ケースにより蓋するように固定すると、組立が完了する。
【００１７】
次に、止着部材押込み具の操作手順を説明する。
止着部材押込み具は、持ち手４により本体ケース１を保持した状態で、一対の当接部２４間の装着用空間２５から止着部材２を挿入し、頭部押出部１４に内蔵した磁性体１５の磁力により止着部材２を頭部押出部１４に付着させる。
次に、持ち手４により把持した本体ケース１の当接部２４を面部３の表面に当接させ、この状態で、操作ハンドル２３を面部３に向けて押すと、操作体２０の他方側ギヤ溝２１が押出ギヤ１２を回転させ、押出ギヤ１２は一方側ギヤ溝１１の作用により図３において反時計回転しながら先端側開口部５に向けて移動し、押出ギヤ１２の移動により押出体７は面部３に向けて移動し、押出体７の頭部押出部１４は止着部材２を面部３に押し込むことになる。
【００１８】
そのため、止着部材押込み具は、持ち手４により本体ケース１の当接部２４を面部３に押し付けた状態で、押出体７の押出力により止着部材２を面部３に向けて押出すので、増力押出機構６の押出ギヤ１２の径により増幅させた本体ケース１を押す原動源となる人力を止着部材２の押込みに確実に作用させ、止着部材２の押し込み作業を容易にする。
止着部材押込み具は、本体ケース１の一方側ギヤ溝１１と操作体２０の他方側ギヤ溝２１と押出ギヤ１２を有して構成する増力押出機構６により、押出体７を本体ケース１から押出すので、止着部材２の押し込む際の打音の発生はない。
即ち、押出体７の頭部押出部１４は、止着部材２の頭部から離れることなく、面部３に向けて押出すので、金槌のような打撃による打撃音が発生することはない。
【００１９】
本体ケース１には、操作体２０と押出体７とを作業開始前の初期状態にさせるセット機構２６を設け、セット機構２６は、押出体７を上部に向けて引き戻すように付勢するバネ２７と、バネ２７による復帰の移動を初期状態にて停止させるストッパ２８により形成しているので、作業開始前は、押出体７はバネ２７により上部方向に付勢され、ストッパ２８により頭部押出部１４を所定位置にて停止させているので、本体ケース１の頭部押出部１４への止着部材２の装着を容易にする。
また、本体ケース１の一対の当接部２４間には装着用空間２５を設けているので、装着用空間２５から止着部材２を挿入して、頭部押出部１４に付着させればよいので、この点でも、止着部材２の装着を容易にする。
【００２０】
次に、止着部材２の押込が終了して、持ち手４により本体ケース１の当接部２４を面部３の表面から離すと、バネ２７の弾力により、押出体７が初期位置に復帰し、押出体７の戻り移動によって回転する押出ギヤ１２が他方側ギヤ溝２１の作用により操作体２０を復帰させ、上記のように止着部材２の装着および押込作業を反復して行う。
このように、持ち手４により本体ケース１を面部３へ押し付けて行う止着部材２の押込み作業を、本体ケース１を面部３から離すだけで、連続反復作業として行えるので、作業性を向上させられる。
【符号の説明】
【００２１】
１…本体ケース、２…止着部材、３…面部、４…持ち手、５…先端側開口部、６…増力押出機構、７…押出体、１０…一方側面、１１…一方側ギヤ溝、１２…押出ギヤ、１３…取付軸、１４…頭部押出部、１５…磁性体、２０…操作体、２１…他方側ギヤ溝、２２…基部側開口部、２３…操作ハンドル、２４…当接部、２５…装着用空間、２６…セット機構、２７…バネ、２８…ストッパ、２９…上部内面、３０…停止ストッパ、３１…ガイド機構、３２…案内部、３３…案内ローラ。
【要約】
【課題】空気圧縮や電力を駆動源として釘を打ち込むため、周辺設備が多くなり、作業性が良くなく、作動音が大きいという課題がある。
【解決手段】先端側を開口させて先端側開口部（５）を有する筒状部材の本体ケース（１）内に、施工対象部材の面部（３）に向けて止着部材（２）を押出すための押出体（７）と、原動源としての人力による操作力を増加させて前記押出体（７）を押し出す押出ギヤ（１２）と、該押出ギヤ（１２）の回転を操作する操作体（２０）とを有する増力押出機構（６）を設け、前記本体ケース（１）の側部所定位置には本体ケース（１）の長手方向と交差するように持ち手（４）を設けた止着部材押込み具。【図１】
0005887677.tif 000002
【図２】
0005887677.tif 000003
【図３】
0005887677.tif 000004
【図４】
0005887677.tif 000005
【図５】
0005887677.tif 000006
【図６】
0005887677.tif 000007